(57)【要約】モバイル通信デバイスは、ロータリ入力デバイスを備え、該ロータリ入力デバイスは、ロータリ入力デバイスの回転を感知するように構成された光学式センサと、ロータリ入力デバイスからの入力を処理するように構成されたロータリ入力デバイスに連結されるプロセッサとを備える。ロータリ入力デバイスは、一実施形態において、回転入力およびキーパッド入力を提供し得る。該プロセッサは、該光学式センサを介して該光学式ロータリデバイスが回転しているか否かを決定するように、かつ該ロータリデバイスが回転していないと決定される場合に、該光学式ロータリデバイスから電力を取り除くように構成される。
2009524993.tif 000002
【特許請求の範囲】
【請求項１】
モバイル通信デバイスであって、
光学式ロータリデバイスであって、該光学式ロータリデバイスの回転を感知するように構成された光学式センサを備える、光学式ロータリデバイスと、
該光学式ロータリデバイスに連結されるプロセッサであって、該プロセッサは、該光学式センサを介して該光学式ロータリデバイスが回転しているか否かを決定するように、かつ該ロータリデバイスが回転していないと決定される場合に、該光学式ロータリデバイスから電力を取り除くように構成される、プロセッサと
を備える、モバイル通信デバイス。
【請求項２】
前記プロセッサは、前記光学式ロータリデバイスが回転していると決定される場合に、該光学式ロータリデバイスの前記回転に基づいて入力を決定するようにさらに構成される、請求項１に記載のモバイル通信デバイス。
【請求項３】
前記プロセッサは、時間が経過したか否かを決定し、該時間が経過した場合に、前記光学式ロータリデバイスに対して電力を印加するようにさらに構成される、請求項１に記載のモバイル通信デバイス。
【請求項４】
前記プロセッサは、前記モバイル通信デバイスがスリープモードにあるか否かを決定し、該モバイル通信デバイスがスリープモードにないと決定される場合に、前記光学式ロータリデバイスに対して電力を印加するようにさらに構成される、請求項１に記載のモバイル通信デバイス。
【請求項５】
前記光学式ロータリデバイスは、前記プロセッサに対して入力を提供するように構成される、押しボタンドームをさらに備える、請求項１に記載のモバイル通信デバイス。
【請求項６】
前記光学式ロータリデバイスは、複数の押しボタンドームをさらに備え、該複数の押しボタンドームのそれぞれが、前記プロセッサに対して複数の入力を提供するように構成される、請求項１に記載のモバイル通信デバイス。
【請求項７】
前記光学式センサは、光源をさらに備える、請求項１に記載のモバイル通信デバイス。
【請求項８】
前記光源は、発光ダイオードを備える、請求項７に記載のモバイル通信デバイス。
【請求項９】
前記光学式ロータリデバイスから電力を取り除くことは、前記光源から電力を取り除くことを包含する、請求項７に記載のモバイル通信デバイス。
【請求項１０】
光学式ロータリ入力は、それぞれが９０度の回転を表す４つの交互の明るい部分および暗い部分を備え、前記光学式センサは、９０度未満の回転の角度を感知するように構成される、請求項１に記載のモバイル通信デバイス。
【請求項１１】
前記光学式センサは、４５度の増分で回転を感知するように構成される、請求項１に記載のモバイル通信デバイス。
【請求項１２】
光学式ロータリ入力は、それぞれが６０度の回転を表す６つの交互の明るい部分および暗い部分を備え、前記光学式センサは、６０度未満の回転の角度を感知するように構成される、請求項１に記載のモバイル通信デバイス。
【請求項１３】
前記光学式センサは、３０度の増分で回転を感知するように構成される、請求項１２に記載のモバイル通信デバイス。
【請求項１４】
前記光学式センサは、時計回りの回転および反時計回りの回転を検出するように構成される、請求項１に記載のモバイル通信デバイス。
【請求項１５】
ロータリ入力デバイスの回転を検出するように構成された複数の光学式センサをさらに備える、請求項１に記載のモバイル通信デバイス。
【請求項１６】
光学式ロータリデバイスを含むデバイスにおいて電力を温存するための方法であって、該方法は、
光学式センサを介して、該光学式ロータリデバイスが回転しているか否かを決定することと、
該ロータリデバイスが回転していないと決定される場合に、該光学式ロータリデバイスから電力を取り除くことと
を包含する、方法。
【請求項１７】
前記光学式ロータリデバイスが回転していると決定される場合に、該光学式ロータリデバイスの前記回転に基づいて入力を決定することをさらに包含する、請求項１６に記載の方法。
【請求項１８】
時間が経過したか否かを決定することと、該時間が経過した場合に、前記光学式ロータリデバイスに対して電力を印加することとをさらに包含する、請求項１７に記載の方法。
【請求項１９】
前記モバイル通信デバイスがスリープモードにあるか否かを決定することと、該モバイル通信デバイスがスリープモードにないと決定される場合に、前記光学式ロータリデバイスに対して電力を印加することとをさらに包含する、請求項１６に記載の方法。
【発明の詳細な説明】
【技術分野】
【０００１】
（発明の分野）
本発明の分野は、概してモバイル通信デバイスに関し、特に、モバイル通信デバイス上のユーザ入力デバイスに関する。
【背景技術】
【０００２】
（背景情報）
携帯電話ハンドセットなどの多くのモバイル通信デバイスは、数多くの機能を含む。場合によって、各機能は、メニュー構造を介してアクセスされ得る。例えば、メニュー構造におけるトップレベルメニューは、いくつか例を挙げると、連絡先リスト、最近の発信のリスト、設定、およびツールなどの項目を含み得る。各トップレベルメニュー項目は、その下のより低いレベルのメニュー項目を含み得る。例えば、ツールメニューはカレンダー、アラーム時計、電卓などを含み得る。メニュー構造のサイズおよび複雑性が増加するにつれて、メニュー構造をナビゲートすることは、ますます困難になり得る。
【０００３】
長いメニュー構造を介してスクロールするために、キーパッド入力を用いることは冗長であり得る。例えば、メニューの内の１つのエントリを、上、下、左、または右にスクロールすることをユーザが所望するたびに、キーを押し下げることは必要であり得る。代わりに、なんらかのデバイスにおいて、ある時間の間キーを押さえ続けることは、メニューの内の複数のエントリを通してスクロールし得る。しかし、リストを通してスクロールするスピードを制御するためのユーザの能力は制限され得る。例えば、継続的にキーボード上のキーまたは他の入力デバイスを押し下げることによって、なんらかのデバイスを、固定される所定のスピードでメニューにおけるエントリを通してスクロールさせ得る。代わりに、ロータリ入力デバイス（ｒｏｔａｒｙ  ｉｎｐｕｔ  ｄｅｖｉｃｅ）は、これらの長いメニュー構造をナビゲートする便利な方法であり得る。なぜならロータリ入力は、いかに速くスクロールするかに関して、ユーザになんらかの制御を提供し得るからである。例えば、ロータリ入力デバイスをより速くユーザが回転させるほど、モバイル通信デバイスは、より速くメニューリストを通してスクロールする。
【０００４】
機械的なロータリ入力デバイスは、モバイル通信デバイスなどの電子デバイス上で用いられているけれども、機械的なロータリ入力デバイスは、いくつかの欠点を有する。例えば、機械的なロータリ入力デバイスは、比較的コスト高であり得、比較的小さい平均故障間隔を有し得て、デバイスの多くが表面実装部品でないために、表面実装設計へ組み込むことは困難であり得る。
【発明の開示】
【課題を解決するための手段】
【０００５】
（発明の概要）
モバイル通信デバイスは、光学式ロータリ入力デバイスを備える。光学式ロータリ入力デバイスは、光学式ロータリ入力デバイスの回転を感知するように構成された光学式センサと、光学式ロータリ入力デバイスからの入力を処理するように構成された光学式ロータリ入力デバイスへ連結されるプロセッサとを備える。光学式ロータリ入力デバイスは、一実施形態において、回転入力およびキーパッド入力を提供し得る。
【０００６】
本発明の他の特徴および利点は、以下の詳細な説明および添付の図面をレビューすることによって、当業者に対してより容易に明らかとなる。
【発明を実施するための最良の形態】
【０００７】
（詳細な説明）
本明細書中に記述されるシステムおよび方法によって構成される光学式ロータリデバイスは、場合によって、モバイル通信デバイスにおいて用いるための多くの利点を提供し得る。例えば、本明細書中に記述されるような光学式ロータリデバイスは、メニュー構造の内の長いリストをナビゲートする便利な方法を提供し得る。言い換えれば、本明細書中に記述されるような光学式ロータリデバイスは、場合によって、メニュー構造を介して、より容易にスクロールすることを導き得る。本明細書中に記述されるような光学式ロータリデバイスは、場合によって、機械的なロータリデバイスより長持ちし得る。なぜなら、本明細書中に記述されるような光学式ロータリデバイスは、概して可動接触子の低減された数の可動接触子を有するからである。言い換えれば、光学式ロータリデバイスは、可動部分を有するが、機械的なロータリデバイスより少ない可動部分を有する。
【０００８】
本明細書中に記述されるシステムおよび方法によって構成される、光学式ロータリデバイスのいくつかの実装の例示の動作は、以下においてさらに議論される。本明細書中に記述されるシステムおよび方法によって構成される光学式ロータリデバイスは、表面実装され得るので、多くの場合、より容易に表面実装基板へ組み込まれ得る。さらに、本明細書中に記述されるシステムおよび方法によって構成される光学式ロータリデバイスは、コストを下げることに役立ち得る。
【０００９】
本明細書中に記述されるような光学式ロータリデバイスは、そのような光学式ロータリデバイスが光源を必要とすることにおいて、携帯電話ハンドセットなどのモバイル通信デバイスに関して１つの欠点を有し得る。光源、一般的に発光ダイオード（ＬＥＤ）は、電力を消費する。電力消費は、モバイル通信デバイスを設計する場合に、重要な懸念材料であり得る。モバイル通信デバイスは、多くの場合、小型で、バッテリ駆動のデバイスである。１組のバッテリ、および／または１回のバッテリ充電で、デバイスが長期間動作することは、概してそのようなデバイスのユーザにとって望ましい。充電、および／またはバッテリ交換の間隔時間を増大させるために、電力消費を減少させることは有利であり得る。幸運にも、モバイル通信デバイスは、比較的控え目に用いられる。従って、本明細書中に記述されるような光学式ロータリデバイスは、モバイル通信デバイスに組み込まれる場合、ほとんどの時間用いられることがないために、ＬＥＤなどの光源に起因する電力消耗は、一般に負の影響をほとんど与えない。
【００１０】
従って、以下に記述されるシステムおよび方法のいくつかは、一定の時間および／または一定の時期に光学式ロータリ入力デバイスをディセーブルにすることによって、本明細書中に記述されるシステムおよび方法によって構成される、光学式ロータリデバイスの電力消費を低減させる方法に向けられる。
【００１１】
図１Ａから図１Ｄは、本明細書中に記述されるシステムおよび方法の１つの実施形態による、光学式ロータリ入力デバイスの動作を例示する図である。図は、１回転の半分、例えば、１８０度による光学式ロータリホイール１００の時計回りの回転を例示する。１８０度の回転ののち、回転が続くと仮定すると、パターンは繰り返し提示される。反時計回りの回転は、図２Ａから図２Ｄに関して議論される。
【００１２】
ホイール１００は、４つの区画１０２、１０４、１０６、１０８に分割され得る。より少ない分割またはより多い分割は可能である。例えば、図６は、６つの区画に分割されるホイールを例示する。概して、より小さな角度の動きは、多くの分割を用いて検出され得る。区画１０２、１０４、１０６、１０８は、例えば、ホイール１００の９０度の部分をそれぞれ表し得る。図示される例において、２つの部分１０２および１０６は暗く、２つの部分１０４および１０８は明るい。センサ１１０および１１２が、ホイール１００の回転を感知するために配置され得、ホイール１００の暗い部分および明るい部分を検出するために用いられ得る。例えば、ホイール１００は、図１Ａにおいて例示される位置から始まり得る。センサ１１０は、ボックス１２２によって指し示されるように暗い部分に向けられ、センサ１１２は、ボックス１２４によって指し示されるように明るい部分に向けられる。すなわち、ボックス１２２および１２４は、センサ１１０および１１２の入力の状態を例示するために用いられる。
【００１３】
ホイール１００が図１Ｂにおいて例示される位置へと時計回りに４５度回る場合、センサ１１０は、ボックス１２６によって示されるように明るい部分に向けられ、センサ１１２は、ボックス１２８によって示されるように明るい部分に向けられる。区画１０２、１０４、１０６、１０８のそれぞれが、ホイール１００の９０度の部分であり得る一方で、センサ１１０および１１２が、４５度の増分など、９０度未満の増分における回転を検出するように構成され得ることに注意されるべきである。言い換えれば、ホイール１００は、ホイール１００を構成する部分によって表される、フルの増分より少ない増分における回転を測定するために用いられ得る。
【００１４】
ホイール１００は、４５度の増分で回転させられ続け得る。従って、ホイール１００はついに、図１Ｃおよび図１Ｄによって例示される位置に到着する。図１Ｃに例示される位置において、センサ１１０は、ボックス１３０によって示されるように明るい部分に向けられ、センサ１１２は、ボックス１３２によって示されるように暗い部分に向けられる。図１Ｄに例示される位置において、センサ１１０は、ボックス１３４によって示されるように暗い部分に向けられ、センサ１１２もまた、ボックス１３６によって示されるように暗い部分に向けられる。
【００１５】
図１Ａにおいて例示される位置と図１Ｄにおいて例示される位置との間で、ホイール１００は１８０度回転する。以上で議論されるように、ボックス１２２、１２４、１２６、１２８、１３０、１３２、１３４、１３６によって例示されるパターンは、ホイール１００が時計回り方向で回転させられ続ける場合、繰り返し得る。例えば、ホイール１００が時計回り方向でさらに４５度回転させられる場合、新しいパターンは、図１Ａの位置（すなわち、ボックス１２２および１２４）と一致するが、暗い部分および明るい部分１０２、１０４、１０６、１０８は、それぞれお互いに交換される。すなわち、暗い部分１０２が、暗い部分１０６によって交換され、明るい部分１０４が、明るい部分１０８によって交換される。
【００１６】
図２Ａから図２Ｄは、本明細書中に記述されるシステムおよび方法の１つの実施形態による、反時計回りに回転する、図１Ａから図１Ｄの光学式ロータリ入力デバイスの動作を例示する図である。ホイール１００は、図２Ａにおいて例示される位置から始まる。センサ１１０は、ボックス２０６によって示されるように暗い部分に向けられ、センサ１１２は、ボックス２０８によって示されるように明るい部分に向けられる。ホイール１００はそれから、図２Ｂにおいて例示される位置へと反時計回りに４５度回転させられ得る。センサ１１０は、ボックス２１０によって示されるように暗い部分に向けられ、センサ１１２もまた、ボックス２１２によって示されるように暗い部分に向けられる。ホイール１００はそれから、図２Ｃによって例示される位置へと反時計回りにさらに４５度回転させられ得る。センサ１１０は、ボックス２１４によって示されるように明るい部分に向けられ、センサ１１２は、ボックス２１６によって示されるように暗い部分に向けられる。もう１回の４５度の回転によって、図２Ｄによって例示される位置へと１８０度の回転を完了すると、センサ１１０は、ボックス２１８によって示されるように明るい部分に向けられ、センサ１１２もまた、ボックス２２０によって示されるように明るい部分に向けられる。図１Ａから図１Ｄに関する説明と同様に、ホイール１００が反時計回り方向に回転し続ける場合、ボックス２０６、２０８、２１０、２１２、２１４、２１６、２１８、２２０によって例示されるパターンは繰り返す。
【００１７】
図３は、３６０度による時計回りに回転し、そして３６０度による反時計回りに回転する、光学式ロータリデバイスの動作のパターンを例示する図である。図３は、ホイール１００が時計回りおよび反時計回りに回転するときに、センサ１１０および１１２によって提示されるパターンを例示するボックス３００を含む。矢印３０２は、時計回りの回転を示し、別の矢印３０４は、反時計回りの回転を示す。すなわち、矢印３０２に示す下向きの動きで、ボックスは、図１Ａから図１Ｄのパターンをたどって変わり、一方、矢印３０４に示す上向きの動きで、ボックスは、図２Ａから図２Ｄのパターンをたどる。ロータリ入力デバイスは、デバイスが最後の回転の後に残されたままの位置、またはデバイスが製造されたときの初期位置に依存して、任意のボックスから始まり得る。さらに、デバイスは、例えば、モバイル通信デバイスにおけるユーザインタフェースメニュー構造をナビゲートするためにユーザがデバイスを回転させるときに、方向を変え得る。
【００１８】
図６は、本明細書中に記述されるシステムおよび方法の別の実施形態による、光学式ロータリ入力デバイスの一部分を例示する図である。図６は、図１から図３に関して議論される図面に類似するけれども、図６のホイール６０２は、明るい部分および暗い部分のそれぞれが２つの代わりに、３つの明るい部分および３つの暗い部分を含む。光学式ロータリ入力デバイスは、光学的に読み取り可能な部分６００を含み得る。交互の暗い区画および明るい区画は、一対のセンサ６０２および６０４によって読み取られ得る。この例示における光学式ロータリ入力デバイスは、入力デバイスが３６０度回されるときに、１２の個別の位置を有し得る。センサ６０２および６０４を用いて、これら１２の位置のそれぞれから明るい読み取りおよび暗い読み取りを決定することによって、動きおよび方向は、決定され得る。
【００１９】
図３に類似して、一連の対の正方形のボックス６０６は、センサ６０２および６０４からの可能な読み取りを例示するために示される。矢印６０８および６１０は、時計回りの回転および反時計回りの回転を示す。図６に関して記述される実施形態は、６つの異なる部分を有し、各部分は６０度である。６０度の部分を用いることにおいて、ロータリ入力デバイスは、３０度の増分において測定し得る。図６から分かり得るように、光学式ロータリ入力デバイスの１回の３６０度の回転を完了する間に、パターンは３回繰り返す。図１から図３に類似して、図６のロータリ入力デバイスは、回る方向および回った角距離を決定し得る。
【００２０】
従って、上記されるようにユーザは、光学式ロータリデバイスを用いて、スクリーン上のメニューを介してナビゲートし得る。パターンの変化は、デバイスに対して、次の項目、または次のいくつかの項目へ動くように命じ、そしてどの方向に動くかを命じる。パターンは、パターン中のいかなる特定の箇所から開始する必要がない。なぜなら、一旦デバイスが、現在のパターンが何であるかを知れば、デバイスは、時計回りの回転および反時計回りの回転に対して次のパターンが何であるべきかを知るからである。従って、各回転の方向を特定の方向（すなわち、上、下、左、または右）に割り当てることによって、デバイスは、メニューにおいて、例えば、上に行くか、下に行くか、または横に行くかを、出現する次のパターンに基づいて決定し得る。
【００２１】
本明細書中に記述されるように構成される光学式ロータリホイールはまた、選択（例えば、メニュー項目の選択）を行うために用いられ得る。例えば、以下に記述される実施形態において、ボタンまたは押しボタンドーム（ｐｕｓｈ  ｂｕｔｔｏｎ  ｄｏｍｅ（ｓ））は、選択またはエントリを行うために押し下げられ得るホイール部分の上に含まれ得、かつ／または接触子は、ホイールを押し下げることで接触子が閉じられるように、ホイールの下に含まれ得る。再び、ボタン、ドーム、および接触子を含む実施形態は、以下においてより詳細に記述される。
【００２２】
図１から図３に関して上記されるように、センサ１１０および１１２は、ホイール１００の明るい位置または暗い位置がセンサの前にあるか上にあるかを検出するように構成され得る。図４および図５は、例えば、図１および図２に例示されるように、動作するように構成される光学式ロータリデバイスの特定の実装を例示する。
【００２３】
図４は、回転を測定するために、発光ダイオード（ＬＥＤ）４０２および４０４ならびにトランジスタ４０６および４０８の組み合わせを用いる実施形態を例示する図である。ホイール４１０は、ＬＥＤ４０２および４０４と、トランジスタ４０６および４０８との間に配置され得る。ホイール４１０は、ＬＥＤ４０２および４０４からの光が、トランジスタ４０６および４０８を照明することを可能にするいくつかの数の開口を有し得る。例えば、図４のホイール４１０は、図１および図２のホイール１００に類似し得る。図１の各明るいエリア１０４および１０８が、ホイール４１０上の開口を表し得、各暗いエリア１０２および１０６が、開口を有しないエリアを表し得る、ホイール４１０は、シャフト４１２によってノブ４１４と接続され得る。ノブ４１４が回されるときに、トランジスタ４０６および４０８は、図１から図３に関して記述されるパターンに類似するパターンにおいて照明される。トランジスタ４０６および４０８の照明のパターンはそれから、ノブ４１４の回転を決定するために用いられ得る。図４は、照明源としてＬＥＤ４０２および４０４を含む一実施形態を例示するけれども、他の照明源（例えば、ランプ）が可能である。
【００２４】
図５は、図４のＬＥＤ４０２および４０４ならびにトランジスタ４０６および４０８を用いる一実施形態において用いられ得る回路図である。ＬＥＤ４０２および４０４は、抵抗器５１４を介して電源とグランドとの間に接続され得、図４に記述されるようにホイール４１０の位置に依存して、電源が適用されるときに、トランジスタ４０６および４０８を照明し得る。１つの実施形態において、図７に関して以下に記述されるように、電源は、バッテリの電力を節約するために、様々な時間においてオンおよびオフにされ得る。
【００２５】
トランジスタ４０６および４０８の各々は、スイッチとして動作する。そのようなトランジスタが照明されない場合、そのトランジスタは、スイッチがオフであることに似ており、そのようなトランジスタが照明される場合、それは、スイッチがオンであることに似ている。トランジスタ４０６または４０８が照明される場合、対応する出力５１６または５１８は、出力を低い電圧にするために、トランジスタを介してグランド５２２に接続される。代わりに、トランジスタ４０６または４０８が照明されない場合、出力５１６または５１８は、出力を高い電圧にするために、抵抗器５１０または５１２によって高い電圧に引かれる。これが簡略化であることに注意されるべきである。トランジスタ４０６および４０８は、スイッチと厳密には似ていない。例えば、トランジスタ４０６または４０８が「オフ」の場合、それは、いくらかの電流が流れることを可能にし得、しかし、電流の量は、概してトランジスタが「オン」である時よりかなり少ない。トランジスタ４０６および４０８の動作は周知であり、簡潔のために、本明細書中においてさらに議論されない。
【００２６】
上述のように、本明細書中に記述されるような光学式ロータリデバイスを組み込むことは、可動部分の数を低減し得、より低いコストおよびより長い平均故障間隔を導き得る。さらに、本明細書中に記述されるシステムおよび方法によって構成される光学式ロータリデバイスは、表面実装設計へのより容易な組込みを可能にする表面実装デバイスであり得る。しかし、ＬＥＤ４０２およびＬＥＤ４０４などの１つ以上の光源は、電力消費を増大させ、バッテリの寿命を低減させ得る。従って、いくつかの実施形態において、本明細書中に記述されるシステムおよび方法によって構成される、光学式ロータリデバイスと関連づけられる電力消費を低減させるための方法を実装することは、好適であり得る。
【００２７】
図７は、本明細書中に記述されるシステムおよび方法の１つの実施形態による、光学式ロータリ入力デバイスの電力消費を低減させるための方法を例示するフローチャートである。ステップ７００において、照明源は、光学式ロータリデバイスと関連づけられる検出器を照明するために、オンにされ得る。図４から図５に関して記述されるように、照明源はＬＥＤであり得る。ステップ７０２において、光学式ロータリデバイスが回転しているか否か決定される。デバイスが回転していない場合、ステップ７０６において、デバイスへの電力は、ある時間の間取り除かれ得る。デバイスが回転している場合、ステップ７０４において、照明源は、回転が完了するまでオンにされたままであり得る。
【００２８】
言い換えれば、本明細書中に記述されるような光学式ロータリデバイスを組み込むデバイスは、デバイスがアクティブであるか否かを検出するように構成され得、アクティブでない場合、電力消費を下げるためにデバイスへの電力を切換える。電力は所定の時間の間、オフにされ得る。例えば、電力は、検出器を照明するために光学式ロータリデバイスへ周期的に適用され得（ステップ７００）、回転があるか否かを決定する（ステップ７０２）。代わりに、着信またはキー押しなどの特定のアクティビティ、またはスリープ状態からアクティブ状態へ移行することなどの特定の状態または状態の遷移は、照明源を起動し得る。従って、ステップ７０８において、照明源を起動させるときであるか否かが決定され得る。
【００２９】
例示として、光学式ロータリ入力デバイス中の照明デバイスとして用いられるＬＥＤがオンであるときに、そのＬＥＤが２０ｍＡを消費すると仮定する。さらに、特定のモバイル通信デバイスが１０００ｍＡｈのバッテリを有すると仮定する。すなわち、バッテリは、１時間の間１０００ｍＡを提供し得る。ＬＥＤが連続的にオンの場合、バッテリは、バッテリが駆動し得る他のいかなる回路も考慮に入れなければ、約５０時間後に放電される。一般に、バッテリは他の回路を駆動する必要があるために、モバイル通信デバイス中のバッテリが５０時間よりかなり短い時間で放電されることはあり得る。代わって、ＬＥＤが例えば、２５ミリ秒ごとに０．１ミリ秒の間、すなわち、０．４％の時間、オンであると仮定すると、この段階で、１０００ｍＡｈバッテリは、例えば、携帯電話ハンドセットの任意の他の回路、電力節約ならびに「スタンバイ」時間および「通話」時間の増大の可能性を考慮しなければ、約１２，５００時間の間ＬＥＤを駆動し得る。
【００３０】
さらなる例示として、いくつかのモバイル通信デバイスは、「スリープ」モードを含む。一般に、「スリープ」モードは、他の動作モードよりそれほど電力を用いない。電話が、所定の時間、通信を送信または受信するために用いられなかったときに、モバイル通信デバイスは、例えば、「スリープ」モードに入り得る。モバイル通信デバイスが「スリープ」モードにあると決定し得る。一実施形態において、光学式ロータリ入力デバイス中の光源は、「スリープ」モードの間にオフにされ得、モバイル通信デバイスがスリープモードにとどまる限りオフのままであり得、この方法により、ＬＥＤによる電力消費はさらに減少され得る。
【００３１】
図８Ａから図８Ｂは、本明細書中に記述されるシステムおよび方法の１つの実施形態による、光学式ロータリ入力デバイス８０２を例示する図である。図８Ａは、回転の入力およびボタン押し下げからの入力を含み得る、光学式ロータリデバイス８０２を例示する。中央のボタン８０４は、光学式ロータリ入力デバイス８０２を用いるデバイスに入力を提供し得、例えば、「ＯＫ」は、メニューにおける項目を選択するために用いられ得る。キー８０６、８０８、８１０、８１２などの追加のキーもまた含まれ得る。キー８０６、８０８は、機能を示すためのピクチャを含み得る。例えば、キー８０６は、呼出し音のオンおよびオフを切換えるために用いられ得るか、キー８０８は、ボイスメールにアクセスするために用いられ得る。キー８０６およびキー８０８上でさえも複数の機能を有することは有益であり得る。キー８１０および８１２は、一般的なものとして示されるけれども、特定の機能が割り当てられ得、別の実施形態において、キーは割り当てられた機能を示すピクチャを含み得る。
【００３２】
図８Ａに関して示されるように、ボタンまたはドームは、光学式ロータリ入力デバイスに組み入れられ得る。代わりに、光学式ロータリ入力デバイスは、図８Ｂにおいて例示されるように、光学式ロータリ入力デバイス８０２の下に位置する接触子８２５、８２７、８２９を起動するために、デバイスが押し下げられ得るように搭載され得る。
【００３３】
図９は、本明細書中に記述されるシステムおよび方法の１つの実施形態による、モバイル通信デバイス９００を例示する図である。モバイル通信デバイス９００は、無線部９１０から通信信号を送信および受信するためのアンテナ９０８を含み得る。無線部９１０は、プロセッサ９０４に連結され得る。プロセッサ９０４は、マイクロプロセッサ、信号処理プロセッサ、デジタルロジック、またはこれらのデバイスのなんらかの組み合わせであり得る。
【００３４】
プロセッサ９０４は、メモリ９０８（例えば、モバイル通信デバイスの機能を実行するためにプロセッサによって実行される命令を保存するためのフラッシュメモリ）に連結され得る。プロセッサ９０４は、モバイル通信デバイス２００のユーザへ情報を提供するためのディスプレイ９１２に連結され得る。
【００３５】
バッテリ９０６は、プロセッサ９０４に連結され得、プロセッサ９０４に電力を提供し得る。さらに、バッテリ９０６は、光源９０２に連結され得る。光源９０２は、例えば、発光ダイオード（ＬＥＤ）であり得る。光源９０２は、光学式ロータリ入力デバイス９１６に光を提供し得る。
【００３６】
本発明の特定の実施形態が上記されてきたが、記述される実施形態が例示のみであることが理解される。従って、本発明は、記述される実施形態に基づいて制限されるべきでない。むしろ、本明細書中に記述される本発明の範囲は、上記の説明および添付の図面と関連させると、続く特許請求の範囲に照らしてのみ制限されるべきである。
【図面の簡単な説明】
【００３７】
【図１Ａ】図１Ａから図１Ｄは、１つの実施形態による光学式ロータリ入力デバイスの時計回りの動作を例示する図である。
【図１Ｂ】図１Ａから図１Ｄは、１つの実施形態による光学式ロータリ入力デバイスの時計回りの動作を例示する図である。
【図１Ｃ】図１Ａから図１Ｄは、１つの実施形態による光学式ロータリ入力デバイスの時計回りの動作を例示する図である。
【図１Ｄ】図１Ａから図１Ｄは、１つの実施形態による光学式ロータリ入力デバイスの時計回りの動作を例示する図である。
【図２Ａ】図２Ａから図２Ｄは、１つの実施形態による光学式ロータリ入力デバイスの反時計回りの動作を例示する図である。
【図２Ｂ】図２Ａから図２Ｄは、１つの実施形態による光学式ロータリ入力デバイスの反時計回りの動作を例示する図である。
【図２Ｃ】図２Ａから図２Ｄは、１つの実施形態による光学式ロータリ入力デバイスの反時計回りの動作を例示する図である。
【図２Ｄ】図２Ａから図２Ｄは、１つの実施形態による光学式ロータリ入力デバイスの反時計回りの動作を例示する図である。
【図３】図３は、図１および図２に関して議論される動作を概略化する図である。
【図４】図４は、１つの実施形態による光学式ロータリデバイスの実装を例示する図である。
【図５】図５は、図４に関して記述される光学式ロータリ入力デバイスを例示する回路図である。
【図６】図６は、別の実施形態による光学式ロータリ入力デバイスの動作を例示する図である。
【図７】図７は、１つの実施形態によるモバイル通信デバイス上の光学式ロータリ入力デバイスを組み込むための方法を例示するフローチャートである。
【図８Ａ】図８Ａから図８Ｂは、１つの実施形態による本明細書中に記述されるシステムおよび方法に対応する、光学式ロータリ入力デバイスの実施形態の動作を例示する図である。
【図８Ｂ】図８Ａから図８Ｂは、１つの実施形態による本明細書中に記述されるシステムおよび方法に対応する、光学式ロータリ入力デバイスの実施形態の動作を例示する図である。
【図９】図９は、１つの実施形態による光学式ロータリ入力デバイスを組み込むモバイル通信デバイスを例示する図である。
【図１Ａ】
2009524993.tif 000003
【図１Ｂ】
2009524993.tif 000004
【図１Ｃ】
2009524993.tif 000005
【図１Ｄ】
2009524993.tif 000006
【図２Ａ】
2009524993.tif 000007
【図２Ｂ】
2009524993.tif 000008
【図２Ｃ】
2009524993.tif 000009
【図２Ｄ】
2009524993.tif 000010
【図３】
2009524993.tif 000011
【図４】
2009524993.tif 000012
【図５】
2009524993.tif 000013
【図６】
2009524993.tif 000014
【図７】
2009524993.tif 000015
【図８Ａ】
2009524993.tif 000016
【図８Ｂ】
2009524993.tif 000017
【図９】
2009524993.tif 000018
【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
モバイル通信デバイスであって、
光学式ロータリホイール（１００）と、該光学式ロータリホイールの回転を感知するように構成された第１の光学センサおよび第２の光学センサ（１１０，１１２）とを備えている光学式ロータリデバイスであって、該ロータリホイールは交互の明るい部分および暗い部分（１０２，１０４，１０６，１０８）に分割されることにより、該第１の光学センサおよび該第２の光学センサ（１１０，１１２）が、該ロータリホイール（１００）が回転するときに、該明るい部分および暗い部分の連続的なパターン（３００，６０６）を感知する、光学式ロータリデバイスと、
該光学式ロータリデバイスに連結されるプロセッサであって、該プロセッサは、該光学式センサを介して該光学式ロータリホイール（１００）が回転しているか否かを決定するように、かつ該ロータリデバイスが回転していないと決定される場合に、該光学式ロータリデバイスから電力を取り除くように構成される、プロセッサと
を備える、モバイル通信デバイス。
【請求項２】
前記プロセッサは、前記光学式ロータリホイール（１００）が回転していると決定される場合に、該光学式ロータリホイール（１００）の前記回転に基づいて入力を決定するようにさらに構成される、請求項１に記載のモバイル通信デバイス。
【請求項３】
前記プロセッサは、時間が経過したか否かを決定し、該時間が経過した場合に、前記光学式ロータリデバイスに対して電力を印加するようにさらに構成される、請求項１に記載のモバイル通信デバイス。
【請求項４】
前記プロセッサは、前記モバイル通信デバイスがスリープモードにあるか否かを決定し、該モバイル通信デバイスがスリープモードにないと決定される場合に、前記光学式ロータリデバイスに対して電力を印加するようにさらに構成される、請求項１に記載のモバイル通信デバイス。
【請求項５】
前記光学式ロータリデバイスは、前記プロセッサに対して少なくとも１つの入力を提供するように構成された少なくとも１つの押しボタンドームをさらに備える、請求項１に記載のモバイル通信デバイス。
【請求項６】
前記光学式センサ（１１０，１１２）は、少なくとも１つの発光ダイオードの光源をさらに備える、請求項１に記載のモバイル通信デバイス。
【請求項７】
前記光学式ロータリデバイスから電力を取り除くことは、前記光源から電力を取り除くことを包含する、請求項６に記載のモバイル通信デバイス。
【請求項８】
前記交互の明るい部分および暗い部分は、それぞれが９０度の回転を表す４つの交互の明るい部分および暗い部分を備え、前記光学式センサは、９０度未満の回転の角度を感知するように構成される、請求項１に記載のモバイル通信デバイス。
【請求項９】
前記交互の明るい部分および暗い部分は、それぞれが６０度の回転を表す６つの交互の明るい部分および暗い部分を備え、前記光学式センサは、６０度未満の回転の角度を感知するように構成される、請求項１に記載のモバイル通信デバイス。
【請求項１０】
前記光学式センサは、３０度の増分で回転を感知するように構成される、請求項９に記載のモバイル通信デバイス。
【請求項１１】
前記光学式センサは、時計回りの回転および反時計回りの回転を検出するように構成される、請求項１に記載のモバイル通信デバイス。
【請求項１２】
光学式ロータリデバイスを含むデバイスにおいて電力を温存するための方法であって、該方法は、
該光学式ロータリデバイスの少なくとも２つのセンサを介して、該光学式ロータリデバイスが回転しているか否かを決定することであって、該センサは、ロータリホイール（１００）が回転しているときに、該光学式ロータリデバイスのロータリホイール（１００）の一連の交互の暗い部分および明るい部分を検出する、ことと、
該ロータリデバイスが回転していないと決定される場合に、該光学式ロータリデバイスから電力を取り除くことと
を包含する、方法。
【請求項１３】
前記光学式ロータリデバイスが回転していると決定される場合に、該光学式ロータリデバイスの前記回転に基づいて入力を決定することをさらに包含する、請求項１２に記載の方法。
【請求項１４】
時間が経過したか否かを決定することと、該時間が経過した場合に、前記光学式ロータリデバイスに対して電力を印加することとをさらに包含する、請求項１３に記載の方法。
【請求項１５】
前記モバイル通信デバイスがスリープモードにあるか否かを決定することと、該モバイル通信デバイスがスリープモードにないと決定される場合に、前記光学式ロータリデバイスに対して電力を印加することとをさらに包含する、請求項１２に記載の方法。
【国際調査報告】
2009524993.tif 000019
2009524993.tif 000020
2009524993.tif 000021
2009524993.tif 000022
2009524993.tif 000023